(57)【要約】      （修正有）【課題】動物飼養時に、飲水器として使用される容器の止水構造を提供する。【解決手段】案内材６の上向き内部に、フロートボール７を収容するための空間が形成され、フロートボールの一端に、案内材の上層面を貫通する管材６２に収容される棒材７１が延設され、案内材の上方付近の管材の外周に、止水ボール６７を収容可能な制限具６８が嵌合されることによって、案内材の空間内に収容されたフロートボールの棒材を止水ボールに当接し、案内材の下方箇所の周辺に水を外部に引き出すための複数の切欠き６４が間隔置きに開設されると共に、止水装置を組み立てるように案内材の下端の外周辺に凹設されたリング材６５を底蓋６９に合わせて締め込む。止水装置８は、タンク体の底部と、受け皿に隣接対応する層面と、を結合することによって飲水容器が構成され、水を受け皿内に引き込むときに所定の進水量の制御を行い、所定の進水量に達すると適時な止水動作を行う止水装置である。【選択図】図１０
0003187073.tif 000002
【実用新案登録請求の範囲】
【請求項１】
タンク体と受け皿から構成される容器の止水構造であって、
前記タンク体の底部にて、中心穴を有する靱性を備えた案内材に合わせて圧迫嵌合可能に形成された管材が内外向きに延伸され、前記案内材の前記中心穴に棒材が摺動自在に装着され、また前記案内材の上方に内部に止水ボールを有する制限具が装着され、前記制限具の上端が入水口を貫通すように配置され、前記タンク体の底部の所定位置にて、下向きに末端に折り返し端を有する複数本の支持部が延設され、
前記受け皿の所定箇所にて、延設された複数本の支持具にフロートボールを載置可能にし、前記受け皿の各前記支持具の外側の所定部位に仕切り具が設けられ、前記タンク体の下向きに延設された各前記支持部の折り返し端が前記仕切り具の間に嵌合挿入されて適切に位置決めがなされ、
前記タンク体と前記受け皿とを組み合わせて実施する場合において、前記タンク体の底部の各前記支持部の下方付近の折り返し端を前記受け皿の前記仕切り具に対応して嵌合挿入することによって、適切に位置決めがなされて飲水容器が構成され、水を前記飲水容器に入れ込むときに、前記タンク体の上部の入水口に水を供給すると、前記水が底部の前記制限具の入水口を経由して、前記案内材に沿って前記受け皿内に進入し、前記受け皿に載置された前記フロートボールを前記水で浮き上がらせることで、止水ボールが前記棒材により突き上げられて前記制限具の前記入水口が閉塞されるようにし、所定の進水量の止水効果を達成する構成としたことを特徴とする、容器の止水構造。
【請求項２】
前記受け皿の所定箇所に延設された前記支持具の形態は、複数本の支柱体であることを特徴とする、請求項１記載の容器の止水構造。
【請求項３】
前記受け皿の所定箇所に延設された前記支持具の形態は、リング状フランジであり、前記リング状フランジの一側周辺に、切欠きが予め開設されていることを特徴とする、請求項１記載の容器の止水構造。
【請求項４】
前記受け皿の各前記支持具の外側に位置している前記仕切り具は、上狭下広の空間を有する係止部材であり、かつ前記仕切り具の上端に前記切欠きが形成され、前記タンク体の下向きに延設された各前記支持部が前記仕切り具の前記切欠きに沿って進入すると共に、末端の折り返し端が前記仕切り具の前記空間に嵌合挿入されることを特徴とする、請求項１記載の容器の止水構造。
【請求項５】
動物が使用する飲水容器における進水量を制御するための止水装置を備える容器の止水構造であって、
前記止水装置は、案内材と、フロートボールと、止水ボールと、制限具と、底蓋と、を備え、
前記案内材の上向き内部に、前記フロートボールを収容するための空間が形成され、前記フロートボールの一端に、前記案内材の上層面を貫通する管材に収容される棒材が延設され、前記案内材に備える前記管材の内部周辺に間隔置きに水を引き込むための複数の突起リブが設けられ、前記案内材の上方付近の前記管材の外周に、前記止水ボールを収容可能な前記制限具が適切に嵌合されることによって、前記案内材の空間内に収容された前記フロートボールの前記棒材を前記止水ボールに当接し、前記制限具の上端に入水口が貫通し、前記案内材の下方箇所の周辺に水を外部に引き出すための複数の切欠きが間隔置きに開設されると共に、前記止水装置を組み立てるように前記案内材の下端の外周辺に凹設されたリング材を底蓋に合わせて締め込み、
前記止水装置は、水を入れ込むためのタンク体の底部の中間区域と、受け皿に隣接対応する層面と、を結合することによって前記飲水容器が構成され、水を前記受け皿に引き込むときに、前記止水装置に備える前記フロートボールが沈むと同時に、前記止水ボールを下向きに移動させて前記制限具の上端の入水口から引き離し、所定の進水量の制御を行うために、前記タンク体の水を前記制限具を経由して前記止水装置に引き込み、また前記案内材の下方箇所の周辺の各前記切欠きに沿って引き出して前記受け皿に引き込むようにし、
前記飲水容器に前記止水装置が容易に取り付けられるように、前記止水装置に備える前記フロートボールが前記受け皿の水位上昇に従って浮き上がって前記止水ボールを前記制限具の上端の入水口に当接すれば、前記タンク体の水の引き込みを阻止する構成としたことを特徴とする、容器の止水構造。
【請求項６】
前記構成の前記止水装置に備える前記案内材の上方箇所の外周辺に、前記タンク体の底部の前記中間区域と合わせて結合するときに一定方向に螺合締結できるねじ山部が形成されることを特徴とする、請求項５記載の容器の止水構造。
【請求項７】
前記止水装置の構成品が簡単に組み立てられるように、前記構成の前記止水装置に備える前記フロートボールの一端に延設された棒材の末端は、前記止水ボールと一体成形されると共に、前記止水ボールが前記案内材の上方付近の前記管材の内部に移動自在に設けられることを特徴とする、請求項５記載の容器の止水構造。
【考案の詳細な説明】
【技術分野】
【０００１】
本考案は、容器の止水構造に係り、主に動物飼養に使用される飲水器において、予め設定された進水量の制御を行い、水を入れ込んだタンク体と受け皿との間に止水装置を結合することで、適時にタンク体内の水を取り出して動物に飲ませ、または受け皿の水が一定の低水位に下降したときに、止水装置により再び水を引き込むことができる、容器の止水構造に関する。
【背景技術】
【０００２】
現在、当業者により設計された動物に飲用水を飲ませるために使用する飲水器としては、一般的に所定の容積及び形状のタンク体と、受け皿から構成される。そのうち、該タンク体と受け皿に水を入れるときには、まずタンク体をひっくり返して内部に清潔な水を入れた後に、受け皿もひっくり返してタンク体の下端部位に締め付けてタンク体と一体に組み立てられる。引き続き、飲水器を元の位置に戻せば、タンク体内の水がタンク体の下方付近の周辺に予め設けられた出水口を経由して受け皿に引き込めば、動物に飲ませるための清潔な水として供給される。
【０００３】
この種の飲水器は使用上、清潔な水を入れて動物の飲用に提供できるが、使用者が水を入れる操作が非常に不便であり、水を入れるときには、水を入れるためにまずタンク体をひっくり返す必要があり、及びタンク体の下端に締め付けるために受け皿もひっくり返す必要があるため、飲水器に水を入れること、と飲水器を組み立てることに時間がかかるほか極めて不便である。さらに、飲水器より受け皿に注入される供給水量は、タンク体の出水口の高さに合わせて形成された一定の入水量であるので、入水量を柔軟に制御することはできない。
【考案の概要】
【考案が解決しようとする課題】
【０００４】
よって、公知技術には前述飲水器の問題の改善が行われている。改善された内容は（図１と図２を参照）、動物用飲水器の止水構造の第１実施例として、係る飲水器４０はタンク体１０と受け皿２０から構成されている。そのうち、受け皿２０での複数の支持具２０１の間に載置されたフロートボール３０が予め決められた外径を有する中空状の球体であり、タンク体１０内の水５０が底部管材１０１を経由して受け皿２０の内部に引き込むときに、フロートボール３０が上昇すると共に、支持具２０１の間に載置されたフロートボール３０が水位上昇によって、次第にタンク体１０底部管材１０１の下側付近に上昇すると、フロートボール３０がタンク体１０の底部管材１０１に係止して閉塞状態になり、タンク体１０の水５０が受け皿２０への進入を止めて、予め決められた進水量の止水状態に達する。
【０００５】
このほか、飲水器４０の受け皿２０内の水が動物の飲用による水位が下降すると、再びフロートボール３０が沈み、タンク体１０内の水５０が再び底部管材１０１を経由して受け皿２０内に流れ込めば、受け皿２０内の水５０を随時に補給することができる。
【課題を解決するための手段】
【０００６】
本考案は、公知技術に基づいて、動物飲用水を制御するための該容器の止水構造をさらに改善し、飲水器に所定の進水量を制御でき、水を入れ込んだタンク体と受け皿との間に止水装置を結合することで、水を適時にタンク体に引き込み、動物に飲ませることができると共に、受け皿の水が一定の低水位に下降したときに、止水装置により再び水を引き込むことができる。
【０００７】
本考案の第１の主要目的は、タンク体と受け皿から構成される動物が使用する飲水容器を提供する。そのうち、該タンク体の底部にて、中心穴を有する靱性を備えた案内材に合わせて圧迫嵌合可能に形成された管材が内外向きに延伸され、該案内材の中心穴に棒材が摺動自在に装着され、また案内材の上方に内部に止水ボールを有する制限具が装着され、該制限具の上端が入水口を貫通すように配置され、タンク体の底部の所定位置にて、下向きに末端に折り返し端を有する複数本の支持部が延設される。該受け皿の所定箇所にて、延設された複数本の支持具にフロートボールを載置可能にし、受け皿の各支持具の外側の所定部位に仕切り具が設けられ、タンク体の下向きに延設された各支持部の折り返し端が仕切り具の間に嵌合挿入されて適切に位置決めがなされる。該タンク体と受け皿とを組み合わせて実施する場合において、タンク体の底部の各支持部の下方付近の折り返し端を受け皿の仕切り具に対応して嵌合挿入することによって、適切に位置決めがなされて飲水容器が構成され、水を飲水容器に入れ込むときに、タンク体の上部の入水口に水を供給すると、水が底部の制限具の入水口を経由して、案内材に沿って受け皿内に進入し、受け皿に載置されたフロートボールを水で浮き上がらせることで、止水ボールが棒材により突き上げられて制限具の前記入水口が閉塞されるようにし、所定の進水量の止水効果を達成できる。
【０００８】
本考案の第２の主要目的は、受け皿の所定箇所に延設された支持具の形態として、複数本の支柱体で実施可能であることにある。
【０００９】
本考案の第３の主要目的は、受け皿の所定箇所に延設された支持具の形態として、リング状フランジで実施可能であり、またリング状フランジの一側周辺に切欠きが予め開設されていることにある。
【００１０】
本考案の第４の主要目的は、受け皿の支持具の外側に位置している仕切り具として、上狭下広の空間を有する係止部材で実施可能であり、かつ仕切り具の上端に切欠きが形成され、タンク体の下向きに延設された各支持部が仕切り具の切欠きに沿って進入すると共に、末端の折り返し端が仕切り具の当該空間に嵌合挿入されることにある。
【００１１】
本考案の第５の主要目的は、動物が使用する飲水容器における進水量を制御するための止水装置を備える容器の止水構造を提供する。止水装置は、案内材と、フロートボールと、止水ボールと、制限具と底蓋から構成される。そのうち、案内材の上向き内部に、フロートボールを収容するための空間が形成され、該フロートボールの一端に、案内材の上層面を貫通する管材に収容される棒材が延設され、案内材に備える該管材の内部周辺に間隔置きに水を引き込むための複数の突起リブが設けられ、案内材の上方付近の該管材の外周に、止水ボールを収容可能な制限具が適切に嵌合されることによって、案内材の空間内に収容されたフロートボールの該棒材を止水ボールに当接し、案内材の下方箇所の周辺に水を外部に引き出すための複数の切欠きが間隔置きに開設されると共に、止水装置を組み立てるように案内材の下端の外周辺に凹設されたリング材を底蓋に合わせて締め込み、該止水装置は、水を入れ込むためのタンク体の底部の中間区域と、受け皿に隣接対応する層面と、を結合することによって飲水容器が構成され、水を受け皿に引き込むときに、止水装置に備えるフロートボールが沈むと同時に、止水ボールを下向きに移動させて制限具の上端の入水口から引き離し、所定の進水量の制御を行うために、タンク体の水を制限具を経由して止水装置に引き込み、また案内材の下方箇所の周辺の各切欠きに沿って引き出して受け皿に引き込むようにし、飲水容器に止水装置が容易に取り付けられるように、止水装置に備えるフロートボールが受け皿の水位上昇に従って浮き上がって止水ボールを制限具の上端の入水口に当接すれば、タンク体の水の引き込むを阻止する構成とする。
【００１２】
本考案の第６の主要目的は、上記構成の止水装置に備える案内材の上方箇所の外周辺に、タンク体の底部の該中間区域と合わせて結合するときに一定方向に螺合締結できるねじ山部が形成されることにある。
【００１３】
本考案の第７の主要目的は、止水装置の構成品が簡単に組み立てられるように、上記構成の止水装置に備えるフロートボールの一端に延設された棒材の末端は、止水ボールと一体成形されると共に、止水ボールが案内材の上方付近の該管材の内部に移動自在に設けられることにある。
【図面の簡単な説明】
【００１４】
【図１】公知の容器の止水構成品を示す分解図である。
【図２】公知の容器の止水組み立て品の止水動作を示す前方断面図である。
【図３】本考案の飲水容器による実施例１の構成品を示す分解図である。
【図４】本考案の飲水容器による実施例１の組み立て品を示す前方断面図である。
【図５】本考案の飲水容器による実施例１の通水動作を示す模式図である。
【図６】本考案の飲水容器による実施例１の止水状態を示す模式図である。
【図７】本考案の飲水容器による実施例２の構成品を示す分解図である。
【図８】本考案の飲水容器による実施例２の通水動作を示す模式図である。
【図９】本考案の飲水器による実施例２の止水状態を示す模式図である。
【図１０】本考案の止水装置の構成品を示す分解図である。
【図１１】本考案の止水装置の組み立て品を示す断面図である。
【図１２】本考案の止水装置をタンク体と受け皿との間に組み付けられた状態を示す模式図である。
【図１３】本考案のタンク体に組み付けられた止水装置の通水動作を示す模式図である。
【図１３Ａ】図１３Ａの拡大詳細図である。
【図１４】本考案のタンク体に組み付けられた止水装置の止水動作を示す模式図である。
【図１４Ａ】図１４Ａの拡大詳細図である。
【図１５】本考案の止水装置による実施例２の構成品を示す分解図である。
【考案を実施するための形態】
【実施例１】
【００１５】
本考案の設計による容器の止水構造（図３を参照）は、動物飼養に使用される飲水容器５は、タンク体１と受け皿３から構成される。
【００１６】
なお、タンク体１は、その底部にて、中心穴２１を有する靱性を備えた案内材２に合わせて圧迫嵌合可能に形成された管材１１（図４を参照）が内外向きに延伸され、案内材２の中心穴２１に棒材２２が摺動自在に装着され、また案内材２の上方に内部に止水ボール２３を有する制限具２４が装着され、該制限具２４の上端が入水口２４１を貫通すように配置され、さらにタンク体１の底部の所定位置にて、下向きに末端に折り返し端１２１を有する複数本の支持部１２が延設される。
【００１７】
また、受け皿３は、その所定箇所にて、延設された複数本の支持具３１（図３に示すように、ここでの支持具の形態として、複数本の支柱体で実施されている）にフロートボール４を載置可能にし、受け皿３の各支持具３１の外側の所定部位に仕切り具３２が設けられ、ここでの仕切り具３２として、上狭下広の空間３２１を有する係止部材で実施され、かつ仕切り具３２の上端に切欠き３２２が形成され、タンク体１の下向きに延設された各支持部１２の折り返し端１２１が仕切り具３２の空間３２１に嵌合挿入される。
【００１８】
上記のタンク体１と受け皿３とを組み合わせて実施する（図３と図４を参照）場合において、タンク体１の底部に下向きに延設された各支持部１２を仕切り具３２の該切欠き３２２に沿って進入すると共に、末端の折り返し端１２１を仕切り具３２の該空間３２１内に嵌合挿入することによって、適切に位置決めがなされて飲水容器５が構成される。
【００１９】
上記構成の飲水容器５に水を入れ込んで実施する（図５を参照）場合において、直接にタンク体１の上端の入水口に水を供給すると、水９をタンク体１の底部の制限具２４の入水口２４１を経由して引き込むようにし、案内材２の中心穴２１に沿って受け皿３内に進入すれば、水を飲水容器５に入れ込む操作が簡単に達成される。
【００２０】
さらに、受け皿３に進入した水９が所定量に達したときの止水機能（図６を参照）について、受け皿３内のフロートボール４を水９で浮き上がらせることで、止水ボール２３が棒材２２により突き上げられて制限具２４の入水口２４１が閉塞されるようにし、所定の進水量の止水状態に達することができる。
【００２１】
また、飲水容器５の該受け皿３内の水が動物の飲用による水位が下降すると、再びフロートボール４が沈むと同時に、棒材２２と止水ボール２３とも下向きに移動（図５を参照）し、タンク体１内の水９を再び底部の制限具２４の入水口２４１を経由して引き込むようにし、内材２の中心穴２１に沿って受け皿３内に進入すれば、受け皿３内の水を随時に補給することができる。
【実施例２】
【００２２】
引き続き、本考案の容器の止水構造の実施例２（図７を参照）において、飲水容器５は、タンク体１と、受け皿３とを含む構成品の形態は、前述した図３の内容とほぼ同じであり、相異点としては、受け皿３の所定箇所に延設された支持具の形態として、リング状フランジ３３で実施される点が挙げられ、またリング状フランジ３３の一側周辺に、切欠き３３１が予め開設されおり、フロートボール４をリング状フランジ３３に載置可能にし（図８を参照）、タンク体１の底部の制限具２４を経由して入水口２４１に引き込まれた水９を案内材２の中心穴２１に沿って進入してリング状フランジ３３の一側の切欠き３３１より受け皿３内に注入すれば、水を飲水容器５に入れ込む操作が簡単に達成される。
【００２３】
受け皿３内のフロートボール４を水９で浮き上がらせることで、止水ボール２３が棒材２２により突き上げられて制限具２４の入水口２４１が閉塞されるようにし（図９を参照）、所定の進水量の止水状態を達成できる。
【実施例３】
【００２４】
本考案の設計による容器の止水構造の実施例３（図３を参照）は、動物が使用する飲水容器５における進水量を制御するための止水装置８は、案内材６と、フロートボール７と、止水ボール６７と、制限具６８と底蓋６９から構成される。
【００２５】
案内材６は、底部から上向きに内部空間６１を有する中空状の部材であって、該案内材６の上層面を貫通する管材６２が設けられ、案内材６の該管材６２の内部周辺に間隔置きに水を引き込むための複数の突起リブ６３が設けられ、案内材６の下方箇所の周辺に水を外部に引き出すための複数の切欠き６４が間隔置きに開設されると共に、案内材６の下端の外周辺にリング材６５が凹設され、該案内材６の上方箇所の外周辺に、ねじ山部６６が形成される。
【００２６】
フロートボール７は、案内材６の内部空間６１によって進水量を決定するように制御できる部材であって、該フロートボール７の一端に、棒材７１が延設される。
【００２７】
止水ボール６７は、フロートボール７の一端の棒材７１に当接する止水部材である。
【００２８】
制限具６８は、止水ボール６７を収容するために、案内材６の上層面の該管材６２により決定される部材であり、該制限具６８の上端が入水口６８１を貫通すように配置される。
【００２９】
底蓋６９は、フロートボール７を覆設するように、案内材６の下端のリング材６５により決定される部材である。
【００３０】
上記の案内材６と、フロートボール７と、止水ボール６７と、制限具６８と、底蓋６９とを組み合わせて実施する（図１０と図１１を参照）場合において、ステップ１に、フロートボール７を案内材６の上向きの内部空間６１に収容し、フロートボール７の一端に延設された棒材７１を案内材６の上層面を貫通する管材６２に収容する。ステップ２に、止水ボール６７を制限具６８内に収容し、制限具６８を案内材６の上方付近の管材６２の外周辺に嵌合する。ステップ３に、案内材６の下端の外周辺に凹設されたリング材６５を底蓋６９に締め付けられる。これらのステップにより止水装置８が組み上がることとなる（図１１を参照）。
【００３１】
該止水装置８において、案内材６の上方箇所に位置しているねじ山部６６を、タンク体１の底部の該中間区域１３と予め結合されたナット１４と一定方向に螺合締結することにより（図１２を参照）、止水装置８の下端と受け皿３に隣接対応する層面とを結合する。
【００３２】
タンク体１の底部の該中間区域１３と、受け皿３に隣接対応する層面との間に組み合わせられた止水装置８を備える飲水容器５で水９を受け皿３に引き込んで実施する（図１３と図１３Ａを参照）場合において、止水装置８に備えるフロートボール７が沈むと同時に、止水ボール６７を下向きに移動させて制限具６８の上端の入水口６８１から引き離し、これにより、タンク体１の水９を制限具６８を経由して止水装置８に引き込み、また案内材６の下方箇所の周辺の各切欠き６４に沿って引き出して受け皿３に流れ込むようにすることで、所定の進水量の制御が行われる。
【００３３】
さらに、タンク体１の底部の該中間区域１３と、受け皿３に隣接対応する層面との間に組み合わせられた止水装置８に備えるフロートボール７が受け皿３の水９の水位上昇に従って浮き上がって止水ボール６７を制限具６８の上端の止水口６８１に当接すれば（図１４と図１４Ａを参照）、タンク体１の水９の引き込みを阻止することができる。これにより、止水装置８は、飲水容器５の受け皿３に対し、所定の進水量を適時に制御できると同時に、該止水装置８が簡単に組み立てられる。
【００３４】
本考案のタンク体の底部の中間区域と、受け皿に隣接対応する層面との間に組み合わせられた止水装置８ａに備えるフロートボール７ａの一端に延設された棒材７１の末端は、止水ボール７２と一体成形されると共に、止水ボール７２が案内材６ａの上方付近の該管材６２ａの内部に移動自在に設けられ、止水装置８ａの構成品がより簡単に組み立てられる。
【符号の説明】
【００３５】
（公知技術）
１０            タンク体
２０            受け皿
２０１            支持具
３０            フロートボール
４０            飲水器
５０            水
１０１            管材
（本考案）
１            タンク体
１１            管材
１２            支持部
１２１            折り返し端
１３            中間区域
１４            ナット
２            案内材
２１            中心穴
２２            棒材
２３            止水ボール
２４            制限具
２４１            入水口
３            受け皿
３１            支持具
３２            仕切り具
３２１            空間
３２２            切欠き
３３            リング状フランジ
３３１            切欠き
４            フロートボール
５            飲水容器
６            案内材
６ａ            案内材
６１            内部空間
６２            管材
６２ａ            管材
６４            切欠き
６５            リング材
６６            ねじ山部
６７            止水ボール
６８            制限具
６８１            入水口
６９            底蓋
７            フロートボール
７ａ            フロートボール
７１            棒材
７２            止水ボール
８            止水装置
８ａ            止水装置
９            水
【図１】
0003187073.tif 000003
【図２】
0003187073.tif 000004
【図３】
0003187073.tif 000005
【図４】
0003187073.tif 000006
【図５】
0003187073.tif 000007
【図６】
0003187073.tif 000008
【図７】
0003187073.tif 000009
【図８】
0003187073.tif 000010
【図９】
0003187073.tif 000011
【図１０】
0003187073.tif 000012
【図１１】
0003187073.tif 000013
【図１２】
0003187073.tif 000014
【図１３】
0003187073.tif 000015
【図１３Ａ】
0003187073.tif 000016
【図１４】
0003187073.tif 000017
【図１４Ａ】
0003187073.tif 000018
【図１５】
0003187073.tif 000019